(57)【要約】【課題】  衛生的で、処理作業が容易な犬猫ペット用トイレを提供する。【解決手段】  長方形状の底板の四辺から、外方に傾斜する傾斜側壁１３を立設して無蓋容器１０を形成し、無蓋容器１０の底面に、当該底面と略同一形状の肉薄で、糞尿を吸収するための上層の吸液性シート２１ａと下層の非透液性シート２１ｂとからなる糞尿吸収用ラミネートシート２１よりなる吸収ユニット２０を載置する。また、吸収ユニット２０を、吸収用ラミネートシート２１の下面に沿わせて高分子材料製板形状保持具２３を相対変位不能に配置して構成する。【選択図】      図1
0003127391.tif 000002
【実用新案登録請求の範囲】
【請求項１】
長方形状の底板の四辺から，外方に傾斜する傾斜側壁（１３）を立設して無蓋容器（１０）を形成し、前記無蓋容器の底面に，該底面と略同一形状の肉薄で，上層の吸液性シート（２１ａ）と下層の非透液性シート（２１ｂ）とからなるところの糞尿吸収用ラミネートシート（２１）を有する吸収ユニット（２０）を載置してなる犬猫ペット用トイレ。
【請求項２】
長方形状の底板の四辺から，外方に傾斜する傾斜側壁（１３）を立設して無蓋容器（１０）を形成し、前記無蓋容器の底面に，該底面と略同一形状の肉薄で，上層の吸液性シート（２１ａ）と下層の非透液性シート（２１ｂ）からなるところの糞尿吸収用ラミネートシート（２１）を有する吸収ユニット（２０）を載置してなり、前記無端容器の少なくとも対向する二つの傾斜側壁（１３）に，水平方向に長い窓穴（１５）を形成し，該窓穴の水平方向両端部に外側から内側に向かって幅狭となるテーパー部（１６）とそれに続く段部（１７）を形成し、前記窓穴に外側から嵌合取付けする蓄光板（３０）の水平方向両端部に，前記テーパー部に接触する傾斜部（３１）と，前記段部に係合する係合部（３２）を形成してなる犬猫ペット用トイレ。
【請求項３】
長方形状の底板の四辺から，外方に傾斜する傾斜側壁（１３）を立設して無蓋容器（１０）を形成し、前記無蓋容器の底面に，該底面と略同一形状の肉薄で，上層の吸液性シート（２１ａ）と下層の非透液性シート（２１ｂ）からなるところの糞尿吸収用ラミネートシート（２１）を有する吸収ユニット（２０）を載置してなり、前記無蓋容器を，二つの塵取り状の上容器（１１）と下容器（１２）とを摺動自在に嵌合して伸縮自在に形成し、前記無端容器の少なくとも対向する二つの傾斜側壁（１３）に，水平方向に長い窓穴（１５）を形成し，該窓穴の水平方向両端部に外側から内側に向かって幅狭となるテーパー部（１６）とそれに続く段部（１７）を形成し、前記窓穴に外側から嵌合取付けする蓄光板（３０）の水平方向両端部に，前記テーパー部に接触する傾斜部（３１）と，前記段部に係合する係合部（３２）を形成してなる犬猫ペット用トイレ。
【請求項４】
長方形状の底板の四辺から，外方に傾斜する傾斜側壁（１３）を立設して無蓋容器（１０）を形成し、前記無蓋容器の底面に，該底面と略同一形状の肉薄で，糞尿を吸収するための吸収ユニット（２０）を載置してなり、前記吸収ユニットを，上層の吸液性シート（２１ａ）と下層の非透液性シート（２１ｂ）からなるところの吸収用ラミネートシート（２１）の下面に沿わせて高分子材料製板形状保持具（２３）を相対変位不能に配置してなる犬猫ペット用トイレ。
【請求項５】
長方形状の底板の四辺から，外方に傾斜する傾斜側壁（１３）を立設して無蓋容器（１０）を形成し、前記無蓋容器の底面に，該底面と略同一形状の肉薄で，糞尿を吸収するための吸収ユニット（２０）を載置してなり、上層の吸液性シート（２１ａ）と下層の非透液性シート（２１ｂ）とからなるところの吸収用ラミネートシート（２１）の四隅下面に結合したところの引掛具（２５）に，柔軟な高分子材料製板形状保持具（２３）の四隅を挿脱自在に挿入して前記吸収ユニット（２０）を形成してなる犬猫ペット用トイレ。
【請求項６】
長方形状の底板の四辺から，外方に傾斜する傾斜側壁（１３）を立設して無蓋容器（１０）を形成し、前記無蓋容器の底面に，該底面と略同一形状の肉薄で，糞尿を吸収するための吸収ユニット（２０）を載置してなり、上層の吸液性シート（２１ａ）と下層の非透液性シート（２１ｂ）とからなるところの吸収用ラミネートシート（２１）の四隅下面に結合したところの引掛具（２５）に，合成樹脂よりなる高分子材料製二つ折型板形状保持具（２３）の四隅を挿脱自在に挿入して前記吸収ユニット（２０）を形成してなる犬猫ペット用トイレ。
【請求項７】
長方形状の底板の四辺から，外方に傾斜する傾斜側壁（１３）を立設して無蓋容器（１０）を形成し、前記無蓋容器の底面に，該底面と略同一形状の肉薄で，糞尿を吸収するための吸収ユニット（２０）を載置してなり、前記吸収ユニットを，上層の吸液性シート（２１ａ）と下層の非透液性シート（２１ｂ）からなるところの吸収用ラミネートシート（２１）の下面に下シート（２２）を設けてその三辺を閉じて形成した袋体の内部に，該内部の形状に対応した合成樹脂よりなる高分子材料製板形状保持具（２３）を挿脱自在に挿入して形成してなる犬猫ペット用トイレ。
【請求項８】
長方形状の底板の四辺から，外方に傾斜する傾斜側壁（１３）を立設して無蓋容器（１０）を形成し、前記無蓋容器の底面に，該底面と略同一形状の肉薄で，糞尿を吸収するための吸収ユニット（２０）を載置してなり、上層の吸液性シート（２１ａ）と下層の非透液性シート（２１ｂ）からなるところの吸収用ラミネートシート（２１）の下面に下シート（２２）を設けてその三辺を閉じて形成した袋体の内部に，該内部の形状に対応した合成樹脂よりなる高分子材料製板形状保持具（２３）を挿脱自在に挿入して前記吸収ユニット（２０）を形成し、前記板形状保持具を，その中心線に沿って薄肉部（２４）を形成し，該薄肉部を折れ線として折り畳み自在としてなる犬猫ペット用トイレ。
【請求項９】
長方形状の底板の四辺から，外方に傾斜する傾斜側壁（１３）を立設して無蓋容器（１０）を形成し、前記無蓋容器の底面に，該底面と略同一形状の肉薄で，上層の吸液性シート（２１ａ）と下層の非透液性シート（２１ｂ）からなるところの糞尿吸収用ラミネートシート（２１）を有する吸収ユニット（２０）を載置してなり、吸収用ラミネートシート（２１）の下面に沿わせて高分子材料製板形状保持具（２３）を相対変位不能に配置して前記吸収ユニット（２０）を形成し、前記無蓋容器を，二つの塵取り状の上容器（１１）と下容器（１２）とを摺動自在に嵌合して伸縮自在に形成し、前記板形状保持具の，前記下容器の直上に位置する部分の下面から，前記上容器の底板の肉厚と略同一高さの下駄歯（２３ａ）を垂下設してなる犬猫ペット用トイレ。
【請求項１０】
長方形状の底板の四辺から，外方に傾斜する傾斜側壁（１３）を立設して無蓋容器（１０）を形成し、前記無蓋容器の底面に，該底面と略同一形状の肉薄で，糞尿を吸収するための吸収ユニット（２０）を載置してなり、上層の吸液性シート（２１ａ）と下層の非透液性シート（２１ｂ）とからなるところの吸収用ラミネートシート（２１）の四隅下面に結合したところの引掛具２５に柔軟な高分子材料製板形状保持具（２３）の四隅を挿脱自在に挿入して前記吸収ユニット（２０）を形成し、前記無蓋容器を，二つの塵取り状の上容器（１１）と下容器（１２）とを摺動自在に嵌合して伸縮自在に形成し、前記上容器と下容器の傾斜側壁（１３）に，水平方向に長い窓穴（１５）を形成し，該窓穴の水平方向両端部に外側から内側に向かって幅狭となるテーパー部（１６）とそれに続く段部（１７）を形成し、前記窓穴に外側から嵌合取付けする蓄光板（３０）の水平方向両端部に，前記テーパー部に接触する傾斜部（３１）と，前記段部に係合する係合部（３２）を形成してなる犬猫ペット用トイレ。
【考案の詳細な説明】
【技術分野】
【０００１】
本考案は、主として、室内に設置して、室内犬や猫等のペットの糞尿を、衛生的かつ容易に処理することができるペット用のトイレに関するものである。
【背景技術】
【０００２】
マルチーズやプードルなどの主として室内で飼育される各種の室内犬や猫は、一般に、夜、室内で運動し、早朝に排泄する。また、室内犬などは、子犬のときに躾をすることによって、同一場所で排泄をするようになる。
【０００３】
こうしたことから、通常、室内犬や猫の排泄場所を、所定の床上に防水シートを敷き、その上に新聞紙を置いて設けている場合が多い。この上に排泄された尿は、新聞紙で吸収させ、便は、当該新聞紙でくるんで捨てて処理している。
【考案の開示】
【考案が解決しようとする課題】
【０００４】
しかし、こうした従来の方法では、新聞紙が尿を完全に吸収することができないので不衛生である。また、便を処理する場合、新聞紙を防水シートから離し、当該新聞紙のみで糞尿をくるむので衛生的ではない。
【０００５】
本考案はこうした問題に鑑み創案されたもので、衛生的で、処理作業が容易な犬猫ペット用トイレを提供することを課題とする。
【課題を解決するための手段】
【０００６】
請求項１に記載の犬猫ペット用トイレ１は、長方形状の底板の四辺から、外方に傾斜する傾斜側壁１３を立設して無蓋容器１０を形成し、前記無蓋容器１０の底面に、当該底面と略同一形状の肉薄で、上層の吸液性シート２１ａと下層の非透液性シート２１ｂとからなるところの糞尿吸収用ラミネートシート２１を有する吸収ユニット２０を載置してなるものである。
【０００７】
請求項２に記載の犬猫ペット用トイレ１は、長方形状の底板の四辺から、外方に傾斜する傾斜側壁１３を立設して無蓋容器１０を形成し、前記無蓋容器１０の底面に、当該底面と略同一形状の肉薄で、上層の吸液性シート２１ａと下層の非透液性シート２１ｂからなるところの糞尿吸収用ラミネートシート２１を有する吸収ユニット２０を載置している。
【０００８】
そして、前記無端容器の少なくとも対向する二つの傾斜側壁１３，１３に、水平方向に長い窓穴１５を形成し、当該窓穴１５の水平方向両端部に外側から内側に向かって幅狭となるテーパー部１６とそれに続く段部１７を形成し、前記窓穴１５に外側から嵌合取付けする蓄光板３０の水平方向両端部に、前記テーパー部１６に接触する傾斜部３１と、前記段部１７に係合する係合部３２を形成している。
【０００９】
請求項３に記載の犬猫ペット用トイレ１は、長方形状の底板の四辺から、外方に傾斜する傾斜側壁１３を立設して無蓋容器１０を形成し、前記無蓋容器１０の底面に、当該底面と略同一形状の肉薄で、上層の吸液性シート２１ａと下層の非透液性シート２１ｂからなるところの糞尿吸収用ラミネートシート２１を有する吸収ユニット２０を載置している。
【００１０】
そして、前記無蓋容器１０を、二つの塵取り状の上容器１１と下容器１２とを摺動自在に嵌合して伸縮自在に形成し、前記無端容器の少なくとも対向する二つの傾斜側壁１３に、水平方向に長い窓穴１５を形成し、当該窓穴１５の水平方向両端部に外側から内側に向かって幅狭となるテーパー部１６とそれに続く段部１７を形成し、前記窓穴１５に外側から嵌合取付けする蓄光板３０の水平方向両端部に、前記テーパー部１６に接触する傾斜部３１と、前記段部１７に係合する係合部３２を形成している。
【００１１】
請求項４に記載の犬猫ペット用トイレ１は、長方形状の底板の四辺から、外方に傾斜する傾斜側壁１３を立設して無蓋容器１０を形成し、前記無蓋容器１０の底面に、当該底面と略同一形状の肉薄で、糞尿を吸収するための吸収ユニット２０を載置している。
【００１２】
また、前記吸収ユニット２０を、上層の吸液性シート２１ａと下層の非透液性シート２１ｂとからなる糞尿吸収用ラミネートシート２１の下面に沿わせて高分子材料製の板形状保持具２３を相対変位不能に配置している。
【００１３】
請求項５に記載の犬猫ペット用トイレ１は、長方形状の底板の四辺から、外方に傾斜する傾斜側壁１３を立設して無蓋容器１０を形成し、前記無蓋容器１０の底面に、当該底面と略同一形状の肉薄で、糞尿を吸収するための吸収ユニット２０を載置している。
【００１４】
また、前記吸収ユニット２０を、上層の吸液性シート２１ａと下層の非透液性シート２１ｂとからなるところの吸収用ラミネートシート２１の四隅下面に結合したところの引掛具２５に、ゴム又は軟質合成樹脂よりなる柔軟な高分子材料製の板形状保持具２３の四隅を挿脱自在に挿入して形成している。
【００１５】
請求項６に記載の犬猫ペット用トイレ１は、長方形状の底板の四辺から、外方に傾斜する傾斜側壁１３を立設して無蓋容器１０を形成し、前記無蓋容器１０の底面に、当該底面と略同一形状の肉薄で、糞尿を吸収するための吸収ユニット２０を載置している。
【００１６】
また、前記吸収ユニット２０を、上層の吸液性シート２１ａと下層の非透液性シート２１ｂとからなるところの吸収用ラミネートシート２１の四隅下面に結合したところの引掛具２５に、合成樹脂よりなる高分子材料製二つ折型板形状保持具２３の四隅を挿脱自在に挿入して形成している。
【００１７】
請求項７に記載の犬猫ペット用トイレ１は、長方形状の底板の四辺から、外方に傾斜する傾斜側壁１３を立設して無蓋容器１０を形成し、前記無蓋容器１０の底面に、当該底面と略同一形状の肉薄で、糞尿を吸収するための吸収ユニット２０を載置している。
【００１８】
また、前記吸収ユニット２０を、上層の吸液性シート２１ａと下層の非透液性シート２１ｂとからなる糞尿吸収用ラミネートシート２１の下面に下シート２２を設けてその三辺を閉じて形成した袋体の内部に、該内部の形状に対応した合成樹脂よりなる高分子材料製の板形状保持具２３を挿脱自在に挿入して構成している。
【００１９】
請求項８に記載の犬猫ペット用トイレ１は、長方形状の底板の四辺から、外方に傾斜する傾斜側壁１３を立設して無蓋容器１０を形成し、前記無蓋容器１０の底面に、当該底面と略同一形状の肉薄で、糞尿を吸収するための吸収ユニット２０を載置している。
【００２０】
そして、上層の吸液性シート２１ａと下層の非透液性シート２１ｂとからなるところの吸収用ラミネートシート２１の下面に下シート２２を設けてその三辺を閉じて形成した袋体の内部に、該内部の形状に対応した合成樹脂よりなる高分子材料製の板形状保持具２３を挿脱自在に挿入して形成し、前記板形状保持具２３を、その中心線に沿って薄肉部２４を形成し、当該薄肉部２４を折れ線として折り畳み自在にしている。
【００２１】
請求項９に記載の犬猫ペット用トイレ１は、長方形状の底板の四辺から、外方に傾斜する傾斜側壁１３を立設して無蓋容器１０を形成し、前記無蓋容器１０の底面に、当該底面と略同一形状の肉薄で、上層の吸液性シート２１ａと下層の非透液性シート２１ｂとからなる糞尿吸収用ラミネートシート２１を有する吸収ユニット２０を載置している。
【００２２】
そして、吸収用ラミネートシート２１の下面に沿わせて合成樹脂からなる高分子材料製板形状保持具２３を相対変位不能に配置して吸収ユニット２０を形成し、前記無蓋容器１０を、二つの塵取り状の上容器１１と下容器１２とを摺動自在に嵌合して伸縮自在に形成し、前記板形状保持具２３の、前記下容器１２の直上に位置する部分の下面から、前記上容器１１の底板の肉厚と略同一高さの下駄歯２３ａを垂下設してある。
【００２３】
請求項１０に記載の犬猫ペット用トイレ１は、長方形状の底板の四辺から、外方に傾斜する傾斜側壁１３を立設して無蓋容器１０を形成し、前記無蓋容器１０の底面に、当該底面と略同一形状の肉薄で、糞尿を吸収するための吸収ユニット２０を載置してなるものである。
【００２４】
そして、上層の吸液性シート２１ａと下層の非透液性シート２１ｂとからなるところの吸収用ラミネートシート２１の四隅下面に結合したところの引掛具２５にゴム又は軟質合成樹脂よりなる柔軟な高分子材料製板形状保持具の四隅を挿脱自在に挿入して前記吸収ユニット２０を形成し、前記無蓋容器１０を、二つの塵取り状の上容器１１と下容器１２とを摺動自在に嵌合して伸縮自在に形成してある。
【００２５】
さらに、前記上容器１１と下容器１２の傾斜側壁１３に、水平方向に長い窓穴１５を形成し、当該窓穴１５の水平方向両端部に外側から内側に向かって幅狭となるテーパー部１６とそれに続く段部１７を形成し、前記窓穴１５に外側から嵌合取付けする蓄光板３０の水平方向両端部に、前記テーパー部１６に接触する傾斜部３１と、前記段部１７に係合する係合部３２を形成してある。
【考案の効果】
【００２６】
請求項１に記載の犬猫ペット用トイレ１は、無蓋容器１０の底面に、その底面とほぼ同一形状で上層の吸液性シート２１ａと下層の非透液性シート２１ｂとからなる糞尿吸収用ラミネートシート２１を有する吸収ユニット２０を載置しているので、犬や猫などの糞尿を当該吸収ユニット２０が良好に吸収する。従って、衛生的であり、処理作業も容易である。そして非透液性シート２１ｂによって吸収した糞尿が無蓋容器１０まで透過するのを未然に防止することができる。また、吸収ユニット２０は、水洗いして繰り返し使用することができるので、経済的でもある。
【００２７】
請求項２に記載の犬猫ペット用トイレ１は、無蓋容器１０の底面に、その底面とほぼ同一形状で上層の吸液性シート２１ａと下層の非透液性シート２１ｂとからなる糞尿吸収用ラミネートシート２１を有する吸収ユニット２０を載置しているので、犬や猫などの糞尿を当該吸収ユニット２０が良好に吸収する。従って、衛生的であり、処理作業も容易である。そして非透液性シート２１ｂによって吸収した糞尿が無蓋容器１０まで透過するのを未然に防止することができる。また、吸収ユニット２０は、水洗いして繰り返し使用することができるので、経済的でもある。さらに、無端容器の少なくとも対向する二つの傾斜側壁１３に、水平方向に長い窓穴１５を形成し、その水平方向両端部に外側から内側に向かって幅狭となるテーパー部１６とそれに続く段部１７を形成し、さらに、窓穴１５に外側から嵌合取付けする蓄光板３０の水平方向両端部に、テーパー部１６に接触する傾斜部３１と、段部１７に係合する係合部３２を形成しているので、蓄光板３０を傾斜側壁１３に安定姿勢で強固に取付けることができる。  
【００２８】
請求項３に記載の犬猫ペット用トイレ１は、無蓋容器１０の底面に、その底面とほぼ同一形状で上層の吸液性シート２１ａと下層の非透液性シート２１ｂとからなる糞尿吸収用ラミネートシート２１を有する吸収ユニット２０を載置しているので、犬や猫などの糞尿を当該吸収ユニット２０が良好に吸収する。従って、衛生的であり、処理作業も容易である。そして非透液性シート２１ｂによって吸収した糞尿が無蓋容器１０まで透過するのを未然に防止することができる。また、吸収ユニット２０は、水洗いして繰り返し使用することができるので、経済的でもある。さらに、無端容器の少なくとも対向する二つの傾斜側壁１３に、水平方向に長い窓穴１５を形成し、その水平方向両端部に外側から内側に向かって幅狭となるテーパー部１６とそれに続く段部１７を形成し、さらに、窓穴１５に外側から嵌合取付けする蓄光板３０の水平方向両端部に、テーパー部１６に接触する傾斜部３１と、段部１７に係合する係合部３２を形成しているので、蓄光板３０を傾斜側壁１３に安定姿勢で強固に取付けることができる。そのうえ、無蓋容器１０を、二つの塵取り状の上容器１１と下容器１２とを摺動自在に嵌合して伸縮自在に形成しているので、犬や猫などの大きさに対応して自在にその大きさを調節することができる。従って、小型から大型までのあらゆる大きさのペットに対応することができる。また伸縮自在なので、非使用時には収縮させておくことができ、取扱いが容易である。
【００２９】
請求項４に記載の犬猫ペット用トイレ１は、無蓋容器１０の底面に、その底面とほぼ同一形状で上層の吸液性シート２１ａと下層の非透液性シート２１ｂとからなる糞尿吸収用ラミネートシート２１を有する吸収ユニット２０を載置しているので、犬や猫などの糞尿を当該吸収ユニット２０が良好に吸収する。従って、衛生的であり、処理作業も容易である。そして非透液性シート２１ｂによって吸収した糞尿が無蓋容器１０まで透過するのを未然に防止することができる。また、吸収ユニット２０は、水洗いして繰り返し使用することができるので、経済的でもある。さらに、吸収用ラミネートシート２１の下面に沿わせて板形状保持具２３を相対変位不能に配置しているので、犬が脚で引掻いても吸収用ラミネートシート２１が捲れることはない。
【００３０】
請求項５に記載の犬猫ペット用トイレ１は、無蓋容器１０の底面に、その底面とほぼ同一形状で上層の吸液性シート２１ａと下層の非透液性シート２１ｂとからなる糞尿吸収用ラミネートシート２１を有する吸収ユニット２０を載置しているので、犬や猫などの糞尿を当該吸収ユニット２０が良好に吸収する。従って、衛生的であり、処理作業も容易である。そして非透液性シート２１ｂによって吸収した糞尿が無蓋容器１０まで透過するのを未然に防止することができる。また、吸収ユニット２０は、水洗いして繰り返し使用することができるので、経済的でもある。さらに、吸収用ラミネートシート２１の下面に沿わせてゴム又は合成樹脂よりなる柔軟な高分子材料製の板形状保持具２３を相対変位不能に配置しているので、犬が脚で引掻いても吸収用ラミネートシート２１が捲れることはない。そして、吸収ユニット２０上に糞が溜まったとき、吸収ユニット２０の両短縁を左右の手で持って上方へ引上げ、図６に示す如くＵ字状にして人間用の便器まで運び、底母線の一端を下げることにより簡単に便器内へ捨てることが出来る。
【００３１】
請求項６に記載の犬猫ペット用トイレ１は、無蓋容器１０の底面に、その底面とほぼ同一形状で上層の吸液性シート２１ａと下層の非透液性シート２１ｂとからなる糞尿吸収用ラミネートシート２１を有する吸収ユニット２０を載置しているので、犬や猫などの糞尿を当該吸収ユニット２０が良好に吸収する。従って、衛生的であり、処理作業も容易である。そして非透液性シート２１ｂによって吸収した糞尿が無蓋容器１０まで透過するのを未然に防止することができる。また、吸収ユニット２０は、水洗いして繰り返し使用することができるので、経済的でもある。さらに、吸収用ラミネートシート２１の下面に沿わせて合成樹脂よりなる高分子材料製二つ折型板形状保持具２３を相対変位不能に配置しているので、犬が脚で引掻いても吸収用ラミネートシート２１が捲れることはない。そして、吸収ユニット２０上に糞が溜まったとき、吸収ユニット２０の両短縁を左右の手で持って上方へ引上げ、図１３に示す如く、Ｖ字状にして人間用の便器まで運び、底母線の一端を下げることにより簡単に便器内へ捨てることが出来る。
【００３２】
請求項７に記載の犬猫ペット用トイレ１は、無蓋容器１０の底面に、その底面とほぼ同一形状で上層の吸液性シート２１ａと下層の非透液性シート２１ｂとからなる糞尿吸収用ラミネートシート２１を有する吸収ユニット２０を載置しているので、犬や猫などの糞尿を当該吸収ユニット２０が良好に吸収する。従って、衛生的であり、処理作業も容易である。そして非透液性シート２１ｂによって吸収した糞尿が無蓋容器１０まで透過するのを未然に防止することができる。また、吸収ユニット２０は、水洗いして繰り返し使用することができるので、経済的でもある。さらに、合成樹脂よりなる高分子材料製板形状保持具２３を袋体の内部に挿入しているので、犬や猫などが吸収用ラミネートシート２１の上で激しく動いても、当該吸収用ラミネートシート２１が捩れることがない。従って、常に吸収用ラミネートシート２１を無蓋容器１０に所定の姿勢で正確に位置させることができるので、糞尿を常に確実に吸収することができ、より衛生的で、処理も容易である。
【００３３】
請求項８に記載の犬猫ペット用トイレ１は、無蓋容器１０の底面に、その底面とほぼ同一形状で上層の吸液性シート２１ａと下層の非透液性シート２１ｂとからなる糞尿吸収用ラミネートシート２１を有する吸収ユニット２０を載置しているので、犬や猫などの糞尿を当該吸収ユニット２０が良好に吸収する。従って、衛生的であり、処理作業も容易である。そして非透液性シート２１ｂによって吸収した糞尿が無蓋容器１０まで透過するのを未然に防止することができる。また、吸収ユニット２０は、水洗いして繰り返し使用することができるので、経済的でもある。また、合成樹脂よりなる高分子材料製の板形状保持具２３を袋体の内部に挿入しているので、犬や猫などが吸収用ラミネートシート２１の上で激しく動いても、当該吸収用ラミネートシート２１が捩れることがない。従って、常に吸収用ラミネートシート２１を無蓋容器１０に所定の姿勢で正確に位置させることができるので、糞尿を常に確実に吸収することができ、より衛生的で、処理も容易である。さらに、板形状保持具２３を、その中心線に沿って薄肉部２４を形成し、当該薄肉部２４を折れ線として折り畳み自在としているので、搬送時などの非使用時において小型化を図ることができる。従って、取扱いが容易である。
【００３４】
請求項９に記載の犬猫ペット用トイレ１は、無蓋容器１０の底面に、その底面とほぼ同一形状で上層の吸液性シート２１ａと下層の非透液性シート２１ｂとからなる糞尿吸収用ラミネートシート２１を有する吸収ユニット２０を載置しているので、犬や猫などの糞尿を当該吸収ユニット２０が良好に吸収する。従って、衛生的であり、処理作業も容易である。そして非透液性シート２１ｂによって吸収した糞尿が無蓋容器１０まで透過するのを未然に防止することができる。また、吸収ユニット２０は、水洗いして繰り返し使用することができるので、経済的でもある。そのうえ、無蓋容器１０を、二つの塵取り状の上容器１１と下容器１２とを摺動自在に嵌合して伸縮自在に形成しているので、犬や猫などの大きさに対応して自在にその大きさを調節することができる。従って、小型から大型までのあらゆる大きさのペットに対応することができる。また伸縮自在なので、非使用時には収縮させておくことができ、取扱いが容易である。またさらに、合成樹脂からなる高分子材料製板形状保持具２３の、下容器１２の直上に位置する部分の下面から、上容器１１の底板の肉厚と略同一高さの下駄歯２３ａを垂下設しているので、当該下駄歯２３ａが、上容器１１と下容器１２の段差を補うことができ、吸収ユニット２０を無蓋容器１０に安定した水平姿勢で載置することができる。これにより、犬や猫が吸収ユニット２０の上に乗った際のガタツキ音の発生を防止することができる。
【００３５】
請求項１０に記載の犬猫ペット用トイレ１は、無蓋容器１０の底面に、その底面とほぼ同一形状で上層の吸液性シート２１ａと下層の非透液性シート２１ｂとからなる糞尿吸収用ラミネートシート２１を有する吸収ユニット２０を載置しているので、犬や猫などの糞尿を当該吸収ユニット２０が良好に吸収する。従って、衛生的であり、処理作業も容易である。そして非透液性シート２１ｂによって吸収した糞尿が無蓋容器１０まで透過するのを未然に防止することができる。また、吸収ユニット２０は、水洗いして繰り返し使用することができるので、経済的でもある。吸収用ラミネートシート２１の四隅下面に結合したところの引掛具２５に柔軟な高分子材料製板形状保持具２３を挿脱自在に挿入しているので、犬が足で引掻いても吸収用ラミネートシート２１が捲れることはない。また吸収ユニット２０が、糞で汚れたとき、吸収ユニット２０の両端縁を左右の手で持って上方へ引上げて容器１０から抜取り、Ｕ字状にして運び、底母線の一端を下げることにより簡単に人間用の便器内へ捨て、処理することが出来る。さらに、無蓋容器１０を、二つの塵取り状の上容器１１と下容器１２とを摺動自在に嵌合して伸縮自在に形成しているので、犬や猫などの大きさに対応して自在にその大きさを調節することができる。従って、小型から大型までのあらゆる大きさのペットに対応することができる。また伸縮自在なので、非使用時には収縮させておくことができ、取扱いが容易である。これにより、犬や猫が吸収ユニット２０の上に乗った際のガタツキ音の発生を防止することができる。また、上容器１１と下容器１２の傾斜側壁１３に、水平方向に長い窓穴１５を形成し、その水平方向両端部に外側から内側に向かって幅狭となるテーパー部１６とそれに続く段部１７を形成し、さらに、窓穴１５に外側から嵌合取付けする蓄光板３０の水平方向両端部に、テーパー部１６に接触する傾斜部３１と、段部１７に係合する係合部３２を形成しているので、蓄光板３０を傾斜側壁１３に安定姿勢で強固に取付けることができる。これにより、犬や猫などが、この蓄光板３０に興味を示して足で引掻いたり、噛みついても、傾斜側壁１３から離脱することがない。また、当該蓄光板３０の取付けがきわめて容易であり、その交換も容易である。
【考案を実施するための最良の形態】
【００３６】
本考案に係る犬猫ペット用トイレ１の実施形態を、図１乃至図１３に示す。これは、長方形状の底板の四辺から、外方に傾斜する傾斜側壁１３を立設して無蓋容器１０を形成し、当該無蓋容器１０の底面に、その底面と略同一形状（長方形）の肉薄で、上層の吸液性シート２１ａと下層の非透液性シート２１ｂとからなる糞尿吸収用ラミネートシート２１を有する吸収ユニット２０を載置して構成したものである。なお、この蓋容器の前後両端部には、取手１８を設けて、持ち運びを行い易くしている。
【００３７】
そして、吸収ユニット２０は、吸収用ラミネートシート２１の下面に沿わせて高分子材料製板形状保持具２３を相対変位不能に配置して形成されている。
【００３８】
なお、本実施形態に係る無蓋容器１０は、二つの塵取り状の上容器１１と下容器１２とを摺動自在に嵌合して伸縮自在に形成している。この摺動は、上容器１１の底板下面に長溝１１ａを形成すると共に、下容器１２の底板上面に、長溝１１ａに挿入する突起１２ａを設けること、および、下容器１２の傾斜側壁１３に、上容器１１の傾斜側壁１３の上端部を覆うガイド板１２ｂを設けることによって達成している。また、板形状保持具２３の一方端部で、下容器１２の直上に位置する部分の下面から、上容器１１の底板の肉厚と略同一高さの下駄歯２３ａを垂下設している。
【００３９】
さらに、上容器１１と下容器１２の傾斜側壁１３に、水平方向に長い窓穴１５を形成し、その窓穴１５の水平方向両端部に外側から内側に向かって幅狭となるテーパー部１６とそれに続く段部１７を形成している。そして、窓穴１５に外側から嵌合取付けする蓄光板３０の水平方向両端部に、テーパー部１６に接触する傾斜部３１と、段部１７に係合する係合部３２を形成している（図７参照）。
【００４０】
本実施形態に係る犬猫ペット用トイレ１は、無蓋容器１０の底面に、その底面とほぼ同一形状の上層の吸液性シート２１ａと下層の非透液性シート２１ｂとからなる糞尿吸収用ラミネートシート２１を有する吸収ユニット２０を載置しているので、犬や猫などの糞尿を当該吸収ユニット２０によって良好に吸収することができると共に非透液性シート２１ｂによって無蓋容器１０の底を汚すことがない。従って、衛生的であり、処理作業も容易に行うことができる。なお、この吸収ユニット２０は、水洗いして繰り返し使用することができるので、経済的である。
【００４１】
また、吸収ユニット２０を、吸収用ラミネートシート２１の下面に沿わせて高分子材料製板形状保持具２３を相対変位不能に配置したので、犬や猫などが吸収用ラミネートシート２１の上で激しく動いても、当該吸収用ラミネートシート２１が捩れない。従って、常に吸収用ラミネートシート２１を無蓋容器１０に所定の場所に正しく位置させることができ、より衛生的で、処理も容易である。
【００４２】
また、無蓋容器１０を、二つの塵取り状の上容器１１と下容器１２とを摺動自在に嵌合して伸縮自在に形成しているので、その大きさに調節することができる。従って、小型から大型までのあらゆる大きさのペットに容易に対応させることができる。また、非使用時には収縮させておくことができるので、搬送などの取扱いが容易である。
【００４３】
またさらに、板形状保持具２３の一方端部の、下容器１２の直上に位置する部分の下面から、上容器１１の底板の肉厚と略同一高さの下駄歯２３ａを垂下設しているので、当該下駄歯２３ａによって、上容器１１と下容器１２の段差の存在を解消することができる。これにより、吸収ユニット２０を無蓋容器１０に安定した水平姿勢で載置させることができるので、犬や猫が吸収ユニット２０の上に乗った際のガタツキ音の発生を未然に防止することができる。
【００４４】
さらに、上容器１１と下容器１２の傾斜側壁１３に窓穴１５を形成し、その水平方向両端部にテーパー部１６と段部１７を形成し、さらに、窓穴１５に外側から嵌合取付けする蓄光板３０の水平方向両端部に、テーパー部１６に接触する傾斜部３１と、段部１７に係合する係合部３２を形成しているので、蓄光板３０を傾斜側壁１３に安定姿勢で強固に取付けることができる。
【００４５】
従って、犬や猫などが、この蓄光板３０に興味を示して、例えば、足で引掻いたり、噛みついても、傾斜側壁１３から離脱しない。また、当該蓄光板３０は、無蓋容器１０の外側から窓穴１５に押し込むのみできわめて容易に取付けることができる。また、その取り外しもできるので、例えば、損傷したり、発光度が低下した場合には、新たな蓄光板３０と容易に取り換えることができる。
【００４６】
なお、本実施形態では、無蓋容器１０を上容器１１と下容器１２とで構成しているが、本考案はこれに限定されず、一つの容器で形成することもできる。また、吸収ユニット２０も限定されず、例えば、上層の吸液性シート２１ａと下層の非透液性シート２１ｂとからなる糞尿吸収用ラミネートシート２１のみで構成することも出来る。
【００４７】
図４〜図６に示す吸収ユニット２０は、吸収用ラミネートシート２１の四隅下面に結合したところの帯式引掛具２５ａ又は三角袋式引掛具２５ｂのいずれかによりなる引掛具２５に、板形状保持具２３の四隅を挿脱自在に挿入することにより、吸収用ラミネートシート２１の下面に沿わせて板形状保持具２３を相対変位不能に配置している。そして、糞で汚れたとき、吸収ユニット２０の両端縁を左右の手で持って上方へ引上げて容器１０から抜取り、図６に示す如くＵ字状にして人間用の便器まで運び底母線の一端を下げることにより簡単に便器内へ捨て、処理することが出来る。
【００４８】
図１０〜図１３に示す吸収ユニット２０は、吸収用ラミネートシート２１の下面に下シート２２を設けて三辺を閉じて形成した袋体の内部に、該内部の形状に対応した合成樹脂よりなる高分子材料製板形状保持具２３を挿脱自在に挿入することにより、吸収用ラミネートシート２１の下面に沿わせて板形状保持具２３を相対変位不能に配置している。この板形状保持具２３は、その中心線に沿って薄肉部２４を形成し、その薄肉部２４を折れ線として折り畳み自在とすることもできる（図１２参照）。この場合、非使用時には折り畳んで小型にすることができるので嵩張らず、搬送などの取扱いが容易となる。また、図１３に示す如く、吸収ユニット２０上に糞が溜まったとき、Ｖ字状にして人間用の便器まで運び、折曲げ線の一端を下げることにより簡単に便器内へ捨てることが出来る。
【図面の簡単な説明】
【００４９】
【図１】本考案に係る犬猫ペット用トイレの実施形態を示す平面図である。
【図２】図１に示すトイレの側面図である。
【図３】図１のＡ−Ａ線断面図である。
【図４】図１におけるトイレの吸収ユニットの一例を示す平面図であるが、右半分と左半分では異なる例を示している。
【図５】図４のＥ−Ｅ，Ｆ−Ｆ線断面図である。
【図６】下シートがゴムよりなる板形状保持具を用いた吸収ユニットの便廃棄状態図である。
【図７】図１のＢ−Ｂ線断面図である。
【図８】図１のＣ−Ｃ線断面図である。
【図９】図１のＤ−Ｄ線断面図である。
【図１０】図１におけるトイレの吸収ユニットの他例を示す部分断面平面図である。
【図１１】図１０のＧ−Ｇ断面図である。
【図１２】図１０における板形状保持具の他例を示す斜視図である。
【図１３】図１２の板形状保持具を用いた図１０の吸収ユニットの便廃棄状態図である。
【符号の説明】
【００５０】
１        犬猫ペット用トイレ
１０      無蓋容器
１１      上容器
１１ａ    長溝
１２      下容器
１２ａ    突起
１２ｂ    ガイド板
１３      傾斜側壁
１５      窓穴
１６      テーパー部
１７      段部
１８      取手
２０      吸収ユニット
２１      吸収用ラミネートシート
２１ａ    吸液性シート
２１ｂ    非透液性シート
２２      下シート
２３      板形状保持具
２３ａ    下駄歯
２４      薄肉部
２５      引掛具
２５ａ    帯式引掛具
２５ｂ    三角袋式引掛具
３０      蓄光板
３１      傾斜部
３２      係合部
【図１】
0003127391.tif 000003
【図２】
0003127391.tif 000004
【図３】
0003127391.tif 000005
【図４】
0003127391.tif 000006
【図５】
0003127391.tif 000007
【図６】
0003127391.tif 000008
【図７】
0003127391.tif 000009
【図８】
0003127391.tif 000010
【図９】
0003127391.tif 000011
【図１０】
0003127391.tif 000012
【図１１】
0003127391.tif 000013
【図１２】
0003127391.tif 000014
【図１３】
0003127391.tif 000015